(57)【要約】【課題】撮像の際に被撮像者にレンズ部の方向に視線を確実に向けさせることにより、撮像者の意図する画像が容易に得られるようにする。【解決手段】第１の筐体２の折り畳んだ際の内面側に通話開始キー、メールキー、電源キー、カメラキー、シャッターキー等の各種の操作キーが設けられ、第２の筐体３の折り畳んだ際の内面側に液晶ディスプレイが設けられ、第２の筐体３の背面側にデジタルカメラのレンズ部１６及びハーフミラーからなるミラー部１７が設けられる。ミラー部１７の内側には発光部材１８が設けられる。撮像時にシャッターキーを操作して発光部材１８を点滅させることにより、被撮像者の視線をレンズ部１６の方向に向けさせ、この状態でシャッターキーを操作することにより撮像を行い、撮像の終了を発光部材１８の消灯によって報知させる。【選択図】        図２
2004357230.tif 000002
【特許請求の範囲】
【請求項１】
筐体に撮像部が設けられ、該撮像部を通して撮像を行う撮像機能を有し、前記筐体に前記撮像部の近傍に位置させて撮像位置確認用のミラー部が設けられた携帯端末装置において、前記ミラー部が、一部の光を透過させるハーフミラーにより構成され、該ミラーの背面側に発光部材が配置されていることを特徴とする携帯端末装置。
【請求項２】
請求項１に記載の携帯端末装置において、着信報知部を備えた電話機能を有してなり、前記発光部材が前記着信報知部を兼ね備えていることを特徴とする携帯端末装置。
【請求項３】
請求項１又は２に記載の携帯端末装置において、前記発光部材が発光ダイオードであることを特徴とする携帯端末装置。
【発明の詳細な説明】
【０００１】
【発明の属する技術分野】
本発明は、携帯端末装置に関し、特に、電話機能とカメラ機能とを備えた携帯端末装置に関するものである。
【０００２】
【従来の技術】
この種の携帯端末装置の一例として、第１の筐体と第２の筐体とがヒンジ部を介して互いに折り畳み自在に連結され、第１の筐体の折り畳んだ際の内面側には、電源キー、通話開始キー、メールキー、カメラキー、シャッターキー、テンキー等の各種の操作キー及びマイクロフォンが設けられ、第２の筐体の折り畳んだ際の内面側には、文字、画像等を表示するディスプレイ及びスピーカが設けられ、第２の筐体の背面側には、デジタルカメラのレンズ部、デジタルカメラによる自己撮影時の位置確認用のミラー部、着信時の点滅ランプ及びアンテナが設けられた携帯端末装置が知られている（例えば、特許文献１参照。）。
【０００３】
このような構成の携帯端末装置にあっては、携帯時等には、第１の筐体に対して第２の筐体を閉じた状態として、衣服のポケット、カバン内等に収納することにより、各種の操作キーの誤操作が防止される。
【０００４】
また、通話時、メールの送受信時等には、第１の筐体に対して第２の筐体を開いた状態として、通話キー、テンキー、メールキー等の操作キーを操作することにより、通話、メールの送受信等が行われる。
【０００５】
さらに、デジタルカメラによる撮像時には、通話時等と同様に、第１の筐体に対して第２の筐体を開いた状態として、デジタルカメラのレンズ部を人物、風景等の被撮像体に向けて、カメラキー、シャッターキー等の操作キーを操作することにより、人物、風景等の被撮像体の撮像が行われる。
【０００６】
【特許文献１】
特開２００２−３００４５４号公報
【０００７】
【発明が解決しようとする課題】
ところで、上記のような構成の携帯端末装置にあっては、デジタルカメラによって被撮像体を撮像するときに、被撮像体が風景等である場合には特に問題はないが、被撮像体が人物である場合には、被撮像者に撮像の開始、終了を報知させるものが何も設けられていないために、被撮像者が戸惑ってしまうことがあり、撮像者が意図する画像を得るのが非常に難しい。また、デジタルカメラのレンズ部が非常に小型であるため、被撮像者側から見てレンズ部の位置の判断が非常にしにくく、特に、被撮像者が老人、幼児等の場合に、レンズ部に視線を向けさせるのに手間がかかってしまい、撮像者が意図する画像を得るのが非常に難しい。
【０００８】
本発明は、上記のような従来の問題に鑑みなされたものであって、カメラ機能を利用して人物を撮像する場合に、被撮像者に撮像の開始、終了を報知させるこができて、撮像者の意図する画像を容易に得ることができるとともに、被撮像者が老人、幼児等であっても、デジタルカメラのカメラ部に視線を容易に向けさせることができて、撮像者の意図する画像を容易に得ることができる携帯端末装置を提供することを目的とするものである。
【０００９】
【課題を解決するための手段】
上記のような課題を解決するために、本発明は、以下のような手段を採用している。すなわち、請求項１に係る発明は、筐体に撮像部が設けられ、該撮像部を通して撮像を行う撮像機能を有し、前記筐体に前記撮像部の近傍に位置させて撮像位置確認用のミラー部が設けられた携帯端末装置において、前記ミラー部が、一部の光を透過させるハーフミラーにより構成され、該ミラーの背面側に発光部材が配置されていることを特徴とする。
この発明による携帯端末装置によれば、撮像部を被撮像体に向けて撮像を行うときに、発光部材からの光がハーフミラーからなるミラー部を透過することになる。従って、被撮像体が人物である場合には、被撮像者にミラー部を透過する発光部材からの光を注視させることにより、被撮像者の視線をミラー部の近傍に位置している撮像部の方向に向けさせることができる。
【００１０】
請求項２に係る発明は、請求項１に記載の携帯端末装置において、着信報知部を備えた電話機能を有してなり、前記発光部材が前記着信報知部を兼ね備えていることを特徴とする。
この発明による携帯端末装置によれば、携帯端末装置を電話として使用する場合には、発光部材が着信報知部として機能することになるので、発光部材からの光を注視することにより着信状態を把握することができる。また、携帯端末装置をデジタルカメラとして使用する場合に、被撮像体が人物である場合には、被撮像者に発光部材からの光を注視させることにより、被撮像者の視線をミラー部の近傍に位置している撮像部の方向に向けさせることができる。
【００１１】
請求項３に係る発明は、請求項１又は２に記載の携帯端末装置において、前記発光部材が発光ダイオードであることを特徴とする。
この発明による携帯端末装置によれば、発光部材は発光ダイオードからなるので、発光部材を発光させたときに、適切な輝度が得られることになる。従って、着信時には、通話者に発光部材からの光を明確に認識させることができて、着信状態を明確に報知させることができるとともに、撮像時には、被撮像者に発光部材からの光を明確に認識させることができるので、被撮像者の視線を撮像部の方向に確実に向けさせることができる。
【００１２】
【発明の実施の形態】
以下、図面に示す本発明の実施の形態について説明する。
図１〜図３には、本発明による携帯端末装置の一実施の形態が示されていて、図１は正面側から見た全体斜視図、図２は背面側から見た全体斜視図、図３は図２のＡ−Ａ線に沿って見た概略拡大断面図である。
【００１３】
すなわち、この携帯端末装置１は、カメラ機能と電話機能とを備えた折り畳み式の携帯端末装置１であって、ヒンジ部４を介して第１の筐体２と第２の筐体３の２つの筐体２、３が互いに折り畳み自在に連結されている。
【００１４】
第１の筐体２及び第２の筐体３は、プラスチック又はマグネシウム合金等の金属から形成されるものであって、両筐体２、３の長手方向の一端部間がヒンジ部４を介して互いに折り畳み自在に連結されている。
【００１５】
第１の筐体２の表面側（折り畳んだ際の内面側）の長手方向の中央部には、メールキー５、通話開始キー６、電源キー７、モード選択キー８、カメラキー９、シャッターキー１０、テンキー１１等の各種の操作キーが設けられ、表面側の長手方向の他端部には、マイクロフォン１２が設けられ、これらの操作キーのうちの所望の操作キーを操作することにより、通話、メールの送受信、被撮像体の撮像等を行うことができる。
【００１６】
第１の筐体２の背面側（折り畳んだ際の外面側）の長手方向の一端部には、アンテナ１３が伸縮自在に設けられ、このアンテナ１３を引き伸ばすことにより、通話時、メールの送受信時に電波の送受信を良好に行うことができる。
【００１７】
第２の筐体３の表面側（折り畳んだ際の内面側）の中央部には、数字、文字等の情報、画像等を表示する表示部としての矩形状の液晶ディスプレイ１４が設けられ、表面側の長手方向の他端部にはスピーカ１５が設けられている。
【００１８】
第２の筐体３の背面側（折り畳んだ際の外面側）の長手方向の他端部には、撮像装置（デジタルカメラ）の撮像部１６である円形状のレンズ部１６が設けられ、このレンズ部１６の近傍にはデジタルカメラによる自己撮像時の撮像位置確認用の円形状のミラー部１７が設けられている。
【００１９】
ミラー部１７は、ハーフミラーから構成されるものであって、携帯端末装置１をデジタルカメラとして使用する場合には、自己撮像時の撮像位置確認用のミラー部１７として機能するとともに、被撮像者にレンズ部１６の位置を認識させる報知部としても機能する。ミラー部１７の形状は、円形状に限らず、四角形状等としても良い。
【００２０】
ミラー部１７を構成するハーフミラーとしては、公知のものであれば特に制限されるものではなく、例えば、平行平面基板（平行平面ガラス等）にクロム等の金属薄膜又は誘導体多層膜をコーティングして、入射光を反射光と透過光とに分割するように構成したものが挙げられる。
【００２１】
ミラー部１７の内側には、図３に示すように、着信報知部１８である発光部材１８が設けられる。発光部材１８は、例えば、発光ダイオードからなるものであって、携帯端末装置１を電話として使用する場合には、着信ランプとして機能して着信時に自動的に点滅して着信状態を報知する。また、携帯端末装置１をデジタルカメラとして使用する場合には、位置確認ランプとして機能して、撮像時に例えばシャッターキー１０を半押しすることにより点滅して被撮像者にレンズ部１６の位置を報知させ、シャッターキー１０を全押しして撮像を行った後に消灯して撮像の終了を報知させるように構成されている。なお、発光部材１８は、専用の操作キーを設けて、発光させるように構成しても良い。その場合にも、撮像が終了したときに消滅するように構成するのは勿論のことである。
【００２２】
第１筐体２及び第２筐体３の内部には制御部（図示せず）が設けられ、携帯端末装置１を電話として使用した場合には、各種の操作キーの操作によって入力された数字、文字等の情報がこの制御部を介してメモリーに記憶され、又はこの制御部を介して液晶ディスプレイ１４に送られて表示される。また、携帯端末装置１をデジタルカメラとして使用した場合には、レンズ部１６を介して撮像した被撮像体の画像情報がこの制御部を介してメモリーに記憶され、又はこの制御部を介して液晶ディスプレイ１４に表示される。
【００２３】
そして、上記のように構成した携帯端末装置１を電話として使用する場合には、第１筐体２を第２筐体３に対して開いた状態として、通話開始キー６、テンキー１１、メールキー５等の操作キーを操作することにより、通話、メールの送受信を行うことができる。この場合、発光部材１８が点滅することによってメールの着信等が報知される。
【００２４】
また、デジタルカメラとして使用する場合には、第１筐体２を第２筐体３に対して開いた状態として、カメラキー９を操作してデジタルカメラモードに切り換える。そして、レンズ部１６を人物、風景等の被撮像体に向け、シャッターキー１０を操作することにより被撮像体の撮像を行う。自己撮像を行う場合には、レンズ部１６を自己の方向に向け、ミラー部１７に写った自己の位置を確認した後に、自己の撮像を行う。
【００２５】
ここで、被撮像体が風景等である場合には、シャッターキー１０を全押しすることにより被撮像体の撮像を行う。また、被撮像体が人物の場合には、まず、シャッターキー１０を半押しすることにより発光部材１８を点滅させ、被撮像者の視線を発光部材１８の方向に向けさせ、その後に、シャッターキー１０を全押しすることにより被撮像者の撮像を行う。レンズ部１６を介して撮像された被撮像体の画像情報は、制御部を介してメモリーに記録され、又は制御部を介して液晶ディスプレイ１４に送られて表示される。
【００２６】
上記のように構成したこの実施の形態による携帯端末装置１にあっては、デジタルカメラとして使用するときに、被撮像体が人物である場合には、レンズ部１６を被撮像者に向けて、シャッターキー１０を操作して発光部材１８を点滅させることにより、被撮像者に撮像の開始及び終了を報知させることができる。従って、被撮像者が戸惑うようなことはなく、撮像者の意図する画像を容易に得ることができる。また、被撮像者が老人、子供等の場合には、シャッターキー１０を操作して発光部材１８を点滅させることにより、被撮像者の視線をレンズ部１６の方向に容易に向けさせることができるので、被撮像者が老人、子供等であっても、撮像者の意図する画像を容易に得ることができる。
【００２７】
以上、説明したように、本実施の形態によれば、撮像部を被撮像体に向けて撮像を行うときに、発光部材からの光がハーフミラーからなるミラー部を透過することになるので、被撮像体が人物である場合には、被撮像者にミラー部を透過する発光部材からの光を注視させることにより、被撮像者の視線をミラー部の近傍に位置している撮像部の方向に向けさせることができることになる。従って、被撮像者が老人、子供等であっても被撮像者の視線を容易にレンズ部の方向に向けさせることができるので、そのような被撮像者であっても撮像者の意図する画像を容易に得ることができる。
【００２８】
また、電話として使用する場合には、発光部材が着信報知部として機能することになるので、発光部材からの光により着信状態を知ることができることになる。従って、デジタルカメラとしての機能と電話としての機能を有効に発揮させることができる。
【００２９】
さらに、発光部材は発光ダイオードからなるので、発光部材を発光させたときに、適切な輝度が得られることになる。従って、着信時には、通話者に発光部材からの光を明確に認識させることができて、着信状態を明確に報知させることができるとともに、撮像時には、被撮像者に発光部材からの光を明確に認識させることができるので、被撮像者の視線を撮像部の方向に確実に向けさせることができ、撮像者の意図する画像を容易に得ることができる。
【００３０】
【発明の効果】
本発明によれば、撮像者の意図する画像を容易に得ることができる携帯情報端末を提供することができる。
【図面の簡単な説明】
【図１】本発明による携帯端末装置の一実施の形態を示した正面側から見た全体斜視図である。
【図２】本発明による携帯端末装置の一実施の形態を示した背面側から見た斜視図である。
【図３】図２のＡ−Ａ線に沿って見た概略拡大断面図である。
【符号の説明】
１  携帯端末装置
２  第１の筐体
３  第２の筐体
１６  撮像部（レンズ部）
１７  ミラー部
１８  着信報知部（発光部材）
【図１】
2004357230.tif 000003
【図２】
2004357230.tif 000004
【図３】
2004357230.tif 000005